(57)【要約】      （修正有）【課題】後処理を含む印刷物を確認印刷する場合に、確認印刷に要するコストを削減しつつ、印刷物の仕上がりを的確に確認できる印刷制御プログラムを提供する。【解決手段】印刷を指示又は実行する装置で動作する印刷制御プログラムであって、装置に、後処理の条件、及び、印刷物の仕上がりを確認するための確認印刷の条件を設定する画面を表示部に表示する表示制御処理と、画面で設定された条件に従って確認印刷を指示又は実行する印刷制御処理と、を実行させる。表示制御処理では、画面で後処理及び前記確認印刷が指示された場合に、確認印刷の条件として、用紙サイズ（用紙サイズのサブメニューｃ）、印字形態（色数変更のサブメニューｄ、簡易的表現に変更のサブメニューｅ）、印字領域（印字領域設定）の少なくとも一つを設定可能にする。【選択図】図１３
2016212744.tif 000002
【特許請求の範囲】
【請求項１】
印刷を指示又は実行する装置で動作する印刷制御プログラムであって、
前記装置に、
後処理の条件、及び、印刷物の仕上がりを確認するための確認印刷の条件を設定する画面を表示部に表示する表示制御処理、
前記画面で設定された条件に従って前記確認印刷を指示又は実行する印刷制御処理、を実行させ、
前記表示制御処理では、前記画面で前記後処理及び前記確認印刷が指示された場合に、前記確認印刷の条件として、用紙サイズ、印字形態、印字領域の少なくとも一つを設定可能にする、
ことを特徴とする印刷制御プログラム。
【請求項２】
前記表示制御処理では、印刷画像にステープル位置、パンチ位置又は折り位置を明示したプレビュー画像を表示し、前記プレビュー画像上で前記印字領域を設定可能にする、
ことを特徴とする請求項１に記載の印刷制御プログラム。
【請求項３】
前記表示制御処理では、複数の用紙で構成される印刷物に対して前記確認印刷が指示された場合に、表紙からの用紙枚数に応じて入力された数値に基づいて、前記用紙毎に前記印字領域を設定可能にする、
ことを特徴とする請求項１に記載の印刷制御プログラム。
【請求項４】
前記印刷制御処理では、前記後処理に応じて、前記用紙サイズ、前記印字領域、前記印字形態の少なくとも一つを変更する、
ことを特徴とする請求項１に記載の印刷制御プログラム。
【請求項５】
前記印刷制御処理では、前記用紙サイズを、予め設定された用紙サイズよりも小さく、かつ、ステープル位置又はパンチ位置の近傍領域を含むサイズに変更する、
ことを特徴とする請求項４に記載の印刷制御プログラム。
【請求項６】
前記印刷制御処理では、前記印字領域を、予め設定された印字領域よりも狭く、かつ、ステープル位置、パンチ位置又は折り位置の近傍領域を含む領域に変更する、
ことを特徴とする請求項４又は５に記載の印刷制御プログラム。
【請求項７】
前記印刷制御処理では、複数の用紙で構成される印刷物に対して前記確認印刷が指示された場合に、表紙からの用紙枚数に応じて、前記印字領域を広くする、
ことを特徴とする請求項６に記載の印刷制御プログラム。
【請求項８】
前記印刷制御処理では、印刷対象のオブジェクトを点、線又は枠に置き換えて前記印字形態を簡略化する、
ことを特徴とする請求項４乃至７のいずれか一に記載の印刷制御プログラム。
【請求項９】
印刷データに基づいて印刷を実行する画像形成装置であって、
後処理、及び、印刷物の仕上がりを確認するための確認印刷が指示された印刷データを受信した場合に、
前記確認印刷の条件として、用紙サイズ、印字形態、印字領域の少なくとも一つを設定可能にする画面を表示部に表示する表示制御部と、
前記画面で設定された条件に従って前記確認印刷を実行する印刷制御部と、を備える、
ことを特徴とする画像形成装置。
【請求項１０】
前記表示制御部は、印刷画像にステープル位置、パンチ位置又は折り位置を明示したプレビュー画像を表示し、前記プレビュー画像上で前記印字領域を設定可能にする、
ことを特徴とする請求項９に記載の画像形成装置。
【請求項１１】
前記表示制御部は、複数の用紙で構成される印刷物に対して前記確認印刷が指示された場合に、表紙からの用紙枚数に応じて入力された数値に基づいて、前記用紙毎に前記印字領域を設定可能にする、
ことを特徴とする請求項９に記載の画像形成装置。
【請求項１２】
前記印刷制御部は、前記後処理に応じて、前記用紙サイズ、前記印字領域、前記印字形態の少なくとも一つを変更する、
ことを特徴とする請求項９に記載の画像形成装置。
【請求項１３】
前記印刷制御部は、前記用紙サイズを、予め設定された用紙サイズよりも小さく、かつ、ステープル位置又はパンチ位置の近傍領域を含むサイズに変更する、
ことを特徴とする請求項１２に記載の画像形成装置。
【請求項１４】
前記印刷制御部は、前記印字領域を、予め設定された印字領域よりも狭く、かつ、ステープル位置、パンチ位置又は折り位置の近傍領域を含む領域に変更する、
ことを特徴とする請求項１２又は１３に記載の画像形成装置。
【請求項１５】
前記印刷制御部は、複数の用紙で構成される印刷物に対して前記確認印刷が指示された場合に、表紙からの用紙枚数に応じて、前記印字領域を広くする、
ことを特徴とする請求項１４に記載の画像形成装置。
【請求項１６】
前記印刷制御部は、印刷対象のオブジェクトを点、線又は枠に置き換えて前記印字形態を簡略化する、
ことを特徴とする請求項１２乃至１５のいずれか一に記載の画像形成装置。
【請求項１７】
印刷を指示するクライアント装置と印刷を実行する画像形成装置とが通信ネットワークで接続された印刷システムにおける印刷制御方法であって、
前記クライアント装置のプリンタドライバは、
後処理の条件、及び、印刷物の仕上がりを確認するための確認印刷の条件を設定する画面を表示部に表示し、前記画面で前記後処理及び前記確認印刷が指示された場合に、前記確認印刷の条件として、用紙サイズ、印字形態、印字領域の少なくとも一つを設定可能にする表示制御処理と、
前記画面で設定された条件に従って印刷データを作成して前記画像形成装置に確認印刷を指示する印刷制御処理と、を実行し、
前記画像形成装置は、
前記印刷データに基づいて、前記確認印刷を行う印刷処理を実行する、
ことを特徴とする印刷制御方法。
【発明の詳細な説明】
【技術分野】
【０００１】
本発明は、印刷制御プログラム及び画像形成装置並びに印刷制御方法に関し、特に、印刷物の仕上がりを確認するための確認印刷を制御する印刷制御プログラム及び画像形成装置並びに印刷制御方法に関する。
【背景技術】
【０００２】
ＭＦＰ（Multi-Functional Peripherals）などの画像形成装置を用いて印刷を行う場合、クライアント装置にインストールされたプリンタドライバによって表示される印刷設定画面で紙種、用紙サイズ、カラー／モノクロなどの印刷条件を設定すると共に、ステープルやパンチ、折りなどの後処理を設定して印刷指示を行う。その際、複数部の印刷物を作成する場合、ユーザが意図した印刷物が得られるかどうかを確認するために、設定した印刷条件で実際に１部印刷して、印刷物の仕上がりを確認する確認印刷が行われる。この確認印刷では、設定した印刷条件で印刷が行われるため、枚数が多い印刷物やカラーの印刷物を作成すると、用紙やトナーなどの消耗材を無駄に消費してしまい、確認印刷のコストがかかってしまう。そこで、用紙やトナーなどの消耗材の消費を抑制するための様々な方法が提案されている。
【０００３】
例えば、下記特許文献１には、画像形成用データを記憶する画像データ記憶手段と、前記画像形成用データにより記録媒体上に画像を形成する画像形成手段と、画像が形成された記録媒体に対して後処理を施す後処理手段と、表示部及び入力部を備えた操作手段と、前記画像形成用データをもとに前記操作手段の表示部で用いる表示用データを生成する画像処理手段と、前記操作手段の入力部を通して指示される後処理による記録媒体上の処理位置が、該記録媒体に形成する画像に干渉するか、否かを判定する干渉判定手段を有する画像形成装置であって、前記画像処理手段は、画像形成用データをもとにサムネイル表示用データを生成するとともに、前記干渉判定手段によって干渉することが判定された場合に、この旨を示す情報を表示するデータを、該当する画像のサムネイル表示用データに対応付けて生成する画像形成装置が開示されている。
【０００４】
また、下記特許文献２には、印刷に用いるシートの種類を含む印刷条件の入力を受け付ける第１の受付処理と、試し印刷の実行指示を受付ける第２の受付処理と、前記第２の受付処理により試し印刷の実行指示が受付けられると、前記第１の受付処理により受付けられた印刷条件の中に、印刷に用いるシートについて第１の種類のシートの指定が含まれているか否かに関わらず、前記第１の種類とは異なる第２の種類のシートを用いる条件に変更すると共に、印刷時の出力形態を製本印刷の形態とした条件に変更して前記印刷装置に印刷を実行させる印刷実行要求処理と、を含む処理を印刷要求装置に実行させるプリンタドライバが開示されている。
【先行技術文献】
【特許文献】
【０００５】
【特許文献１】特開２００８−２８３４０３号公報
【特許文献２】特開２００５−２３４８１２号公報
【発明の概要】
【発明が解決しようとする課題】
【０００６】
用紙やトナーなどの消耗材の消費を抑制する方法として、特許文献１のように、画面上に印刷物のプレビュー画像を表示する方法が考えられる。しかしながら、ステープルやパンチ、折りなどの後処理が設定されている場合、実際の印刷物では、用紙をめくって印刷画像を確認することになるが、プレビュー画像では、ステープル針やパンチ穴、折り線と印刷画像との平面的な位置関係が表示されるだけであり、用紙をめくった状態での印刷画像の見え方が分からないため、実際の印刷物の仕上がりを確認することができない。
【０００７】
また、特許文献２の方法を利用して安価な用紙を用いて確認印刷を行うこともできる。しかしながら、この方法でも、ステープルやパンチ、折りなどの後処理を行う場合、用紙の硬さや厚みなどにより用紙のめくれ方が変化し、用紙のめくれ方によってステープル針やパンチ穴、折り線近傍における印刷画像の見え方が変化するため、設定された用紙で作成した印刷物の仕上がりを確認することができない。
【０００８】
本発明は、上記問題点に鑑みてなされたものであって、その主たる目的は、後処理を含む印刷物を確認印刷する場合に、確認印刷に要するコストを削減しつつ、印刷物の仕上がりを的確に確認することができる印刷制御プログラム及び画像形成装置並びに印刷制御方法を提供することにある。
【課題を解決するための手段】
【０００９】
本発明の一側面は、印刷を指示又は実行する装置で動作する印刷制御プログラムであって、前記装置に、後処理の条件、及び、印刷物の仕上がりを確認するための確認印刷の条件を設定する画面を表示部に表示する表示制御処理、前記画面で設定された条件に従って前記確認印刷を指示又は実行する印刷制御処理、を実行させ、前記表示制御処理では、前記画面で前記後処理及び前記確認印刷が指示された場合に、前記確認印刷の条件として、用紙サイズ、印字形態、印字領域の少なくとも一つを設定可能にすることを特徴とする。
【００１０】
本発明の一側面は、印刷データに基づいて印刷を実行する画像形成装置であって、後処理、及び、印刷物の仕上がりを確認するための確認印刷が指示された印刷データを受信した場合に、前記確認印刷の条件として、用紙サイズ、印字形態、印字領域の少なくとも一つを設定可能にする画面を表示部に表示する表示制御部と、前記画面で設定された条件に従って前記確認印刷を実行する印刷制御部と、を備えることを特徴とする。
【００１１】
本発明の一側面は、印刷を指示するクライアント装置と印刷を実行する画像形成装置とが通信ネットワークで接続された印刷システムにおける印刷制御方法であって、前記クライアント装置のプリンタドライバは、後処理の条件、及び、印刷物の仕上がりを確認するための確認印刷の条件を設定する画面を表示部に表示し、前記画面で前記後処理及び前記確認印刷が指示された場合に、前記確認印刷の条件として、用紙サイズ、印字形態、印字領域の少なくとも一つを設定可能にする表示制御処理と、前記画面で設定された条件に従って印刷データを作成して前記画像形成装置に確認印刷を指示する印刷制御処理と、を実行し、前記画像形成装置は、前記印刷データに基づいて、前記確認印刷を行う印刷処理を実行することを特徴とする。
【発明の効果】
【００１２】
本発明の印刷制御プログラム及び画像形成装置並びに印刷制御方法によれば、後処理を含む印刷物を確認印刷する場合に、確認印刷に要するコストを削減しつつ、印刷物の仕上がりを的確に確認することができる。
【００１３】
その理由は、クライアント装置若しくは画像形成装置にインストールされた印刷制御プログラムは、後処理及び確認印刷が指示された場合に、確認印刷の条件として、用紙サイズ、印字形態、印字領域の少なくとも一つを設定可能にするからである。
【図面の簡単な説明】
【００１４】
【図１】本発明の一実施例に係る印刷システムの構成を模式的に示す図である。
【図２】本発明の一実施例に係るクライアント装置の構成を示すブロック図である。
【図３】本発明の一実施例に係る画像形成装置の構成を示すブロック図である。
【図４】本発明の一実施例に係る確認印刷における印刷制御方法を示すフローチャート図である。
【図５】本発明の一実施例に係る確認印刷における印刷制御方法（ステープル用処理）を示すフローチャート図である。
【図６】本発明の一実施例に係る確認印刷における確認領域を説明する図である。
【図７】本発明の一実施例に係る確認印刷における印刷制御方法の一例（用紙サイズの変更）を説明する図である。
【図８】本発明の一実施例に係る確認印刷における印刷制御方法の一例（印字形態の変更）を説明する図である。
【図９】本発明の一実施例に係る確認印刷における印刷制御方法の一例（印字領域の変更）を説明する図である。
【図１０】本発明の一実施例に係る確認印刷における印刷制御方法の他の例（印字領域の変更）を説明する図である。
【図１１】本発明の一実施例に係る確認印刷における印刷制御方法の他の例（印字領域の変更）を説明する図である。
【図１２】本発明の一実施例に係る印刷設定画面の一例を示す図である。
【図１３】本発明の一実施例に係る確認印刷省コスト設定画面の一例を示す図である。
【図１４】本発明の一実施例に係る印字領域指定画面の一例を示す図である。
【図１５】本発明の一実施例に係る確認印刷における印字領域（２つ折りの場合）を説明する図である。
【図１６】本発明の一実施例に係る確認印刷における印字領域（Ｚ折りの場合）を説明する図である。
【図１７】本発明の一実施例に係る確認印刷における印字領域（パンチの場合）を説明する図である。
【図１８】本発明の一実施例に係る確認印刷における印字領域（２つ折り＋ステープルの場合）を説明する図である。
【図１９】本発明の一実施例に係る確認印刷における印字領域（２つ折り＋パンチの場合）を説明する図である。
【図２０】本発明の一実施例に係る確認印刷における印字領域（Ｚ折り＋ステープルの場合）を説明する図である。
【図２１】本発明の一実施例に係る確認印刷における印字領域（Ｚ折り＋パンチの場合）を説明する図である。
【発明を実施するための形態】
【００１５】
背景技術で示したように、複数部の印刷物を作成する場合、印刷物の仕上がりを確認するための確認印刷が行われるが、確認印刷では、設定した印刷条件で印刷が行われるため、枚数が多い印刷物やカラーの印刷物を作成すると、用紙やトナーなどの消耗材を無駄に消費し、確認印刷のコストがかかってしまう。
【００１６】
この問題に対して、画面上に印刷物のプレビュー画像を表示する方法が考えられるが、ステープルやパンチ、折りなどの後処理が設定されている場合は、プレビュー画像では、ステープル針やパンチ穴、折り線と印刷画像との平面的な位置関係が表示されるだけであり、用紙をめくった状態での印刷画像の見え方が分からないため、実際の印刷物の仕上がりを確認することができない。また、安価な用紙を用いて確認印刷を行う方法も考えられるが、用紙を変えるとその用紙の硬さや厚みなどによって用紙のめくれ方が変化し、用紙のめくれ方によってステープル針やパンチ穴、折り線近傍における印刷画像の見え方が変化するため、設定された用紙で作成した印刷物の仕上がりを確認することができない。
【００１７】
そこで、本発明の一実施の形態では、確認印刷時に、ステープルやパンチ、折りなどの後処理が設定されている場合、用紙の全体を確認する全体確認か一部を確認する部分確認かを選択可能にし、部分確認が選択された場合に、確認印刷の条件として、用紙サイズ、印字形態、印字領域の少なくとも一つを設定可能にする。すなわち、ステープル、パンチ、折りといった後処理設定を含む確認印刷では、実際の印刷物におけるステープル針やパンチ穴、折り線と印刷画像との位置関係が分かれば十分であることから、用紙サイズを、予め設定された用紙サイズよりも小さく、かつ、ステープル針、パンチ穴の近傍領域を含むサイズに変更したり、印字領域を、予め設定された印字領域よりも狭く、かつ、ステープル針、パンチ穴、折り線の近傍領域を含む領域に変更したり、印刷対象のオブジェクトを点、線又は枠に置き換えて印字形態を簡略化したりすることによって、用紙やトナーなどの消耗材の消費を抑制し、確認印刷にかかるコストを削減する。
【実施例】
【００１８】
上記した本発明の実施の形態についてさらに詳細に説明すべく、本発明の一実施例に係る印刷制御プログラム及び画像形成装置並びに印刷制御方法について、図１乃至図２１を参照して説明する。図１は、本実施例の印刷システムの構成を模式的に示す図であり、図２は、クライアント装置の構成を示すブロック図、図３は、画像形成装置の構成を示すブロック図である。また、図４及び図５は、本実施例の確認印刷における印刷制御方法を示すフローチャート図であり、図６は、確認印刷における確認領域を説明する図である。また、図７乃至図１１は、本実施例の確認印刷における印刷制御方法を説明する図であり、図１２乃至図１４は、本実施例の画面の一例を示す図、図１５乃至図２１は、本実施例の確認印刷における印字領域を説明する図である。
【００１９】
図１に示すように、本実施例の印刷システム１０は、印刷データを送信して印刷を指示するクライアント装置２０と、印刷データを受信して印刷を実行する画像形成装置３０とで構成される。これらは、イーサネット（登録商標）、トークンリング、ＦＤＤＩ（Fiber-Distributed Data Interface）等の規格により定められるＬＡＮ（Local Area Network）等の通信ネットワークやＵＳＢ（Universal Serial Bus）によって接続されている。
【００２０】
［クライアント装置］
図２（ａ）に示すように、クライアント装置２０は、制御部２１と、記憶部２２と、ネットワークＩ／Ｆ部２３と、表示部２４と、操作部２５などで構成される。
【００２１】
制御部２１は、ＣＰＵ（Central Processing Unit）と、ＲＯＭ（Read Only Memory）やＲＡＭ（Random Access Memory）などのメモリとで構成される。図２（ｂ）に示すように、ＣＰＵは、クライアント装置２０の動作を制御するためのプログラム、Windows（登録商標）やMacintosh（登録商標）等のＯＳ（Operating System）２６、アプリケーション２７、画像形成装置３０を制御するためのプリンタドライバ２８をＲＯＭ又は記憶部２２から読み出し、ＲＡＭに展開して実行する。
【００２２】
上記プリンタドライバ２８は、印刷制御プログラムであり、アプリケーション２７を用いて作成された原稿のデータを、画像形成装置３０が解釈可能な言語（ＰＣＬ（Printer Control Language）やＰＳ（Post Script）などのＰＤＬ（Page Description Language））に変換して印刷データを作成し、当該印刷データを画像形成装置３０に送信して印刷を指示する。
【００２３】
具体的には、アプリケーション２７で印刷が指示されたら、表示部２４に後処理を含む印刷条件を設定するための印刷設定画面を表示する表示制御部、印刷設定画面で設定された印刷条件に従って印刷データを作成して印刷を指示する印刷制御部、などとして機能する。
【００２４】
表示制御部は、印刷設定画面で後処理及び確認印刷が指示された場合に、確認印刷の条件として、用紙サイズ、印字形態、印字領域の少なくとも一つを設定可能にする確認印刷設定画面を表示する。また、表示制御部は、印刷画像にステープル位置又はパンチ位置を明示したプレビュー画像を表示し、プレビュー画像上で印字領域を設定可能にしたり、表紙からの用紙枚数に応じて入力された数値に基づいて、用紙毎に印字領域を設定可能にしたりする。
【００２５】
印刷制御部は、必要に応じて、用紙サイズ、印字領域、印字形態の少なくとも一つを自動的に変更する。例えば、用紙サイズを、予め設定された用紙サイズよりも小さく、かつ、ステープル位置又はパンチ位置の近傍領域を含むサイズに変更したり、印字領域を、予め設定された印字領域よりも狭く、かつ、ステープル位置、パンチ位置、折り位置の近傍領域を含む領域に変更したり、表紙からの用紙枚数に応じて印字領域を広くしたり、印刷対象のオブジェクトを点、線又は枠に置き換えて印字形態を簡略化したりする。
【００２６】
記憶部２２は、ＨＤＤ（Hard Disk Drive）やＳＳＤ（Solid State Drive）などで構成され、プログラムや印刷データなどを記憶する。
【００２７】
ネットワークＩ／Ｆ部２３は、ＮＩＣ（Network Interface Card）やモデムなどで構成され、通信ネットワークを介して、画像形成装置３０に印刷データを送信する。
【００２８】
表示部２４は、液晶表示装置（ＬＣＤ：Liquid Crystal Display）や有機ＥＬ（electroluminescence）表示装置等からなり、上記印刷設定画面や確認印刷の条件を設定する確認印刷省コスト設定画面、印字領域指定画面などを表示する。
【００２９】
操作部２５は、マウスやキーボード等からなり、アプリケーション２７による原稿の作成やプリンタドライバ２８による印刷条件（特に確認印刷条件）の設定、印刷指示などの操作を可能にする。
【００３０】
［画像形成装置］
図３に示すように、画像形成装置３０は、制御部３１と、記憶部３２と、ネットワークＩ／Ｆ部３３と、表示・操作部３４と、画像処理部３５と、印刷処理部３６と、後処理部３７などで構成される。
【００３１】
制御部３１は、ＣＰＵと、ＲＯＭやＲＡＭなどのメモリとで構成される。ＣＰＵは、各種プログラムをＲＯＭ又は記憶部３２から読み出してＲＡＭに展開し実行し、画像形成装置３０全体の動作を制御する。
【００３２】
記憶部３２は、ＨＤＤやＳＳＤなどで構成され、プログラムや印刷データ、画像処理部３５で処理した画像データなどを記憶する。
【００３３】
ネットワークＩ／Ｆ部３３は、ＮＩＣやモデムなどで構成され、通信ネットワークを介して、クライアント装置２０から印刷データを受信する。
【００３４】
表示・操作部３４は、液晶表示装置や有機ＥＬ表示装置等の表示部上に、透明電極が格子状に配置された感圧式の操作部（タッチパネル）を備え、画像形成装置３０を操作するための画面や印刷条件を設定する画面などを表示すると共に、各種設定や指示などを可能にする。
【００３５】
画像処理部３５は、印刷データを解析し、印刷データの各ページをラスタライズしてページ毎の画像データを生成し、必要に応じて画像処理（色調整、濃度調整、サイズ調整などの処理）やスクリーニングを行った後、印刷処理部３６で印刷可能な画像データに変換する。
【００３６】
印刷処理部３６は、電子写真方式や静電記録方式等の作像プロセスを利用した画像形成に必要な構成要素で構成され、画像処理部３５で作成した画像データに基づく印刷画像を用紙に印刷する。
【００３７】
後処理部３７は、印刷処理部３６から搬送される用紙に対して、制御部３１からの指示に従って、ステープルやパンチ、折り、製本などの後処理を加えて出力する。
【００３８】
なお、図３は本実施例の画像形成装置３０の一例であり、その構成は適宜変更可能である。例えば、本実施例では、画像形成装置３０に画像処理部３５を設け、クライアント装置２０から受信した印刷データをラスタライズする構成とするが、通信ネットワークにＲＩＰ（Raster Image Processor）部を備えるコントローラなどを設け、当該コントローラがクライアント装置２０から送信される印刷データを受信し、印刷データをラスタライズして画像データを生成し、生成した画像データを画像形成装置３０に送信する構成としてもよい。
【００３９】
また、本実施例では、プリンタドライバ２８に、上記表示制御部及び印刷制御部としての機能を持たせた（表示制御処理及び印刷制御処理を実行させた）が、画像形成装置３０の制御部３１に上記機能を持たせる（制御部３１で動作する印刷制御プログラムに上記表示制御処理及び印刷制御処理を実行させる）構成としてもよい。その場合、画像形成装置３０が、後処理及び確認印刷が指示された印刷データをクライアント装置２０から受信し、表示・操作部３４に確認印刷省コスト設定画面や印字領域指定画面を表示して、用紙サイズ、印字形態、印字領域の少なくとも一つを設定可能にするか、若しくは、表示・操作部３４に印刷設定画面を表示して後処理及び確認印刷の指定を行った後、表示・操作部３４に確認印刷省コスト設定画面や印字領域指定画面を表示して、用紙サイズ、印字形態、印字領域の少なくとも一つを設定可能にする。
【００４０】
以下、本実施例の印刷システム１０における後処理設定を含んだ確認印刷時の処理について説明する。ＣＰＵは、ＲＯＭに記憶した印刷制御プログラムをＲＡＭに展開して実行することにより、図４及び図５のフローチャート図に示す各ステップの処理を実行する。なお、以下の説明では、クライアント装置２０の制御部２１（プリンタドライバ２８）に以下の処理を実行させるものとして説明する。
【００４１】
ユーザがアプリケーション２７を用いて原稿を作成し、アプリケーション２７の画面で印刷を指示すると、プリンタドライバ２８が動作し、表示部２４に印刷設定画面を表示させる。この印刷設定画面には、確認印刷を行うかどうかを選択する欄が設けられており、プリンタドライバ２８は、確認印刷が選択されたかどうかを判断する（Ｓ１０１）。例えば、プリンタドライバ２８は、図１２（ａ）に示すような印刷設定画面５０を表示し、その中の確認印刷の欄に対して、図１２（ｂ）に示すサブメニューを表示する。Ｓ１０１で確認印刷が選択されなかった場合（サブメニューで「しない」が選択された場合）は、プリンタドライバ２８は、通常通り、印刷設定画面の設定に従って印刷データを作成し、印刷データを画像形成装置３０に送信して印刷を指示する（Ｓ１０３）。
【００４２】
Ｓ１０１で確認印刷が選択された場合は、プリンタドライバ２８は、省コスト印刷が選択されたかどうかを判断する（Ｓ１０２）。この省コスト印刷とは、確認印刷を行うにあたり、用紙やトナーなどの消耗材の消費を抑えて確認印刷にかかるコストを削減するものである。省コスト印刷が選択されなかった場合（サブメニューで「する（省コスト）」が選択されなかった場合）は、プリンタドライバ２８は、印刷設定画面５０で設定された印刷条件での確認印刷を指示する（Ｓ１０３）。
【００４３】
省コスト印刷が選択された場合は、プリンタドライバ２８は、印刷設定画面５０で後処理が設定されているかを確認する（Ｓ１０３）。後処理が設定されていない場合は、後処理を含まない場合の省コスト印刷を行う（Ｓ１０４）。この場合、最もコストをかけず確認する方法として、印刷データのプレビュー画像に後処理マークを上書きした画像を生成し、ユーザに印刷物の仕上がりの画像を提示したり、印刷設定画面５０でカラー印刷に設定されている場合にモノクロ印刷に変更したりして、用紙やトナーの使用量を制限する。その後、プリンタドライバ２８は、確認印刷を指示する（Ｓ１０３）。
【００４４】
一方、印刷設定画面５０で後処理が設定されている場合は、プリンタドライバ２８は、後処理の内容に応じた処理を行う。例えば、後処理としてステープルが設定されている場合は、Ｓ１０６でステープル用処理を行い、後処理としてパンチが設定されている場合は、Ｓ１０７でパンチ用処理を行い、後処理として折りが設定されている場合は、Ｓ１０８で折り用処理を行う。その後、プリンタドライバ２８は、確認印刷を指示する（Ｓ１０３）。
【００４５】
図５は、Ｓ１０６のステープル用処理の詳細を示している。
【００４６】
まず、プリンタドライバ２８は、確認領域（用紙の全部を確認する全体確認か用紙の一部を確認する部分確認か）を選択する（Ｓ２０１）。例えば、図６に示すように、複数の用紙を左上１点でステープルする場合、各用紙の左上の領域はステープルによって印刷画像が見えなくなる可能性があるが、他の部分はステープルの影響を受けない。このような場合、用紙の全体を確認する必要がなく確認領域４１のみを確認すればよいため、部分確認を選択する。
【００４７】
Ｓ２０１で全体確認が選択された場合は、プリンタドライバ２８は、印刷対象（用紙）を変更するかをユーザに選択させ（Ｓ２０２）、印刷対象の変更が選択された場合は、紙種の変更を受け付ける（Ｓ２０３）。この処理は高コストな用紙を使用する確認印刷の場合に有効であり、同じサイズの別の紙種に変更することにより、確認印刷に要するコスト（この場合は用紙のコスト）を削減することができる。
【００４８】
次に、プリンタドライバ２８は、印刷内容を変更するかをユーザに選択させ（Ｓ２０４）、印刷内容の変更が選択された場合は、簡易的な印刷への変更を受け付ける（Ｓ２０５）。例えば、文字列を線、写真を四角画像等の簡易的な線や図形に置き換えることにより、確認印刷に要するコスト（この場合はトナーの使用量）を削減することができる。この簡易的な印刷に関しては後述する。その後、必要に応じて、印刷設定画面５０でカラー印刷に設定されている場合にモノクロ印刷に変更して（Ｓ２０６）、確認印刷に要するコストを削減する。
【００４９】
一方、Ｓ２０１で部分確認が選択された場合は、プリンタドライバ２８は、印刷対象（用紙）を変更するかをユーザに選択させる（Ｓ２０７）。印刷対象の変更が選択された場合、プリンタドライバ２８は、使用する紙種の変更（Ｓ２０９）、及び／又は、使用する用紙サイズの変更を受け付ける（Ｓ２０８）。例えば、図１２（ａ）の印刷設定画面５０の確認印刷欄で「する（省コスト）」が選択され、詳細設定ボタンが押下されると、プリンタドライバ２８は、図１３（ａ）に示す確認印刷省コスト設定画面５１を表示部２４に表示させる。そして、この確認印刷省コスト設定画面５１の「紙種」欄に対して図１３（ｂ）に示すサブメニューを表示させ、ユーザに所望の紙種を選択させる。また、図１３（ａ）の確認印刷省コスト設定画面５１の「用紙サイズ」欄に対して図１３（ｃ）に示すサブメニューを表示させ、ユーザに所望の用紙サイズを選択させる。
【００５０】
図７は、用紙サイズを変更する場合の例を示している。後処理としてステープルが設定されている場合、ステープル位置４２ａ近傍の印刷画像の見え方が確認できれば十分であるため、例えば、図７に示すように、Ａ３の用紙４０をＢ４やＡ４、Ｂ５、Ａ５など、Ａ３よりも用紙サイズが小さく、かつ、ステープル位置４２ａ近傍領域を含むサイズ（ここではＡ４）の用紙４０に変更する。
【００５１】
次に、プリンタドライバ２８は、印刷内容を変更するかをユーザに選択させる（Ｓ２１０）。印刷内容の変更が選択された場合は、簡易的な印刷への変更（Ｓ２１１）、及び／又は、印字領域の変更（Ｓ２１２）を受け付ける。簡易的な印刷に変更する（印字形態を変更する）場合は、図１３（ａ）の確認印刷省コスト設定画面５１の「簡易的表現に変更」欄に対して図１３（ｅ）に示すサブメニューを表示させ、簡易表現に変更するかしないかをユーザに選択させる。また、印字領域を変更する場合は、図１３（ａ）の確認印刷省コスト設定画面５１の「印字領域設定」欄で詳細ボタンが押下されたら、印字領域を変更するための画面を表示させる。この印字領域変更に関しては後述する。その後、必要に応じて、印刷設定画面５０でカラー印刷に設定されている場合にモノクロ印刷に変更して（Ｓ２０６）、確認印刷に要するコストを削減する。
【００５２】
図８は、簡易的な印刷の例を示しており、文字列を線、写真を四角画像等の簡易的な線や図形に置き換える（図８では、更に用紙サイズをＡ３からＡ４に変更している）。なお、図８は例示であり、ステープル位置４２ａと印刷画像との重なり方が確認可能であり、かつ、トナーの使用量を削減可能であればよく、例えば、文字を点で表現したり、文字のサイズにあわせて線の太さや点のサイズを変更したり、写真や図形を枠線で表現したり、写真や図形を輪郭線で表現したりする（すなわち、印刷対象のオブジェクトを点、線又は枠に置き換える）ことができる。
【００５３】
図９は、印字領域４３（ハッチングで示す領域）を変更する場合の例を示している。後処理としてステープルが設定されている場合、ステープル位置４２ａ近傍の印刷画像の見え方が確認できれば十分であるため、例えば、図９のように用紙の左上の１点をステープルする場合は、用紙の左上の所定の範囲を印字領域４３にしたり、左２点をステープルする場合は、用紙の左側の所定の幅の範囲を印字領域４３にしたりすることができる。
【００５４】
なお、この印字領域４３は予め定めたサイズとしてもよいが、ユーザによって用紙の折り曲げ方や印刷画像の見方が異なることから、印字領域４３はユーザが任意に設定してもよい。また、上記印字領域４３は、全ての用紙に対して一定のサイズとしてもよいが、例えば、複数の用紙をステープルする場合、用紙の硬さや枚数（全体の枚数や表紙からの枚数）によって、用紙をめくった時のステープル位置近傍の印刷画像の見え方が異なることから、印字領域４３は表紙からの用紙枚数に応じて変更してもよい。
【００５５】
図１０は、複数の用紙を左２カ所でステープルした場合のステープル位置４２ａ近傍の画像の見え方の違いを示しており、図１１は、複数の用紙を左上１カ所でステープルした場合のステープル位置４２ａ近傍の画像の見え方の違いを示している。図１０（ａ）及び図１１（ａ）に示すように、表紙に近い用紙４０では、ステープル位置４２ａの直近に印刷画像が見えない領域があり、その近傍は印刷画像が見えにくい領域がある。一方、図１０（ｂ）及び図１１（ｂ）に示すように、表紙から離れた用紙４０では、用紙４０が折れ曲がる位置がステープル位置４２ａから離れるため、印刷画像が見えない領域が広くなる。
【００５６】
このように、ユーザによって用紙の折り曲げ方や印刷画像の見方が異なり、また、表紙からの枚数によってステープル位置近傍の印刷画像の見え方が変化することから、本実施例では、ユーザが簡便に印字領域を設定できるようにするＵＩ（User Interface）を提供する。以下、図面を参照して具体的に説明する。
【００５７】
例えば、図１３（ａ）の確認印刷省コスト設定画面５１で「印字領域設定」欄の設定ボタンが押下されると、プリンタドライバ２８は、図１４に示す印字領域指定画面５２を表示させる。この印字領域指定画面５２には、プレビューを見ながら直感的に印字領域を設定する「簡易設定」と、数値を指定して詳細に印字領域を設定する「詳細設定」と、が設けられている。
【００５８】
「簡易設定」では、プレビュー画像５２ａ中に表示される矢印をドラッグ&ドロップで変化させることにより、印字領域４３の縦幅／横幅を任意に設定することが可能となる。また、「補助線印刷」を「する」に設定すると、プレビュー画像５２ａに補助線５２ｂが表示される。この補助線５２ｂの内、ステープル位置４２ａに近い線を「見えない」境界線とし、ステープル位置４２ａより遠い線を「見え難い」境界線とし、これらの補助線５２ｂをドラッグ&ドロップで移動させることにより、印字領域４３の縦幅／横幅を任意に設定することが可能となる。
【００５９】
また、「詳細設定」では、表紙からの所望の枚数の用紙に対して、見えない領域や見え難い領域を数値で指定することができる。その際、見えない領域や見え難い領域は確認する人間の主観により変化し、また、用紙の硬さ、厚さ、枚数により変化するため、例えば、表１のようなテーブルを用意しておき、ユーザが所望の位置の用紙に対して見え難い領域及び見えない領域の幅を入力すると、印字領域幅が自動的に計算されて表示されるようにすることもできる。
【００６０】
例えば、１シートの厚さにより他のシートの厚さが直線的に変化するものとして、以下の自動計算により、入力された２点から印字領域幅を算出することができる。
見え難い領域の幅：
１シートの変化値＝（設定2（5シート目）−設定1（2シート目））／シート数
＝（39.8ｍｍ−35.0ｍｍ）／（5−2）＝1.6ｍｍ
見えない領域の幅：
１シートの変化値＝（設定2（5シート目）−設定1（2シート目））／シート数
＝（24.8mm−20.0mm）／（5−2）＝1.6mm
印字領域幅＝見え難い領域＋安全係数（α＝10ｍｍ）
【００６１】
表１  印字領域の算出例
2016212744.tif 000003
【００６２】
なお、図１４では、設定１、２の２つの設定を入力できるようにしたが、１部の中で紙種が変化する場合には、設定数を増やしても良い。例えば、３点（３つのシート位置）に対して見えない領域や見え難い領域を入力することにより、より細やかに印字領域を変化させることができる。また、印字領域４３の形状は矩形に限定されず、例えば、１点コーナーステープルの場合は三角形にするなど、印字領域４３の形状を変更できるようにしてもよい。
【００６３】
以上、後処理としてステープルが設定された場合について記載したが、後処理として折りが設定された場合も同様に確認印刷を制御することができる。例えば、図１５に示すように後処理として２つ折りが設定された場合、折り位置４２ｂに印刷画像が重なったり近接したりして、印刷画像が見え難くなる場合がある。このような場合は、折り位置４２ｂ近傍を印字領域４３とすれば、確認印刷に要するコストを削減しつつ、印刷物の仕上がりを的確に確認することができる。
【００６４】
また、図１６に示すように後処理としてＺ折りが設定された場合、２本の折り位置４２ｂのいずれかに印刷画像が重なったり近接したりして、印刷画像が見え難くなる場合がある。このような場合は、２本の折り位置４２ｂ近傍を印字領域４３とすれば、確認印刷に要するコストを削減しつつ、印刷物の仕上がりを的確に確認することができる。
【００６５】
また、図１７に示すように後処理としてパンチが設定された場合、パンチ位置４２ｃに印刷画像が重なったり近接したりして、印刷画像が見え難くなる場合がある。このような場合は、パンチ位置４２ｃ近傍を印字領域４３とすれば、確認印刷に要するコストを削減しつつ、印刷物の仕上がりを的確に確認することができる。なお、パンチの場合も、印刷物はファイルなどに収納され、用紙をめくるときに表紙側の用紙と内部の用紙とでは用紙のめくられ方が変化するため、ステープルで説明した見えない領域や見え難い領域が変化する。そこで、パンチの場合も、図１４に示した印字領域指定画面５２で印字領域を指定できるようにすることが好ましい。
【００６６】
以上、後処理として、ステープル、折り、パンチが各々設定された場合の印字領域４３について説明したが、これらの後処理が組み合わせて設定される場合もある。例えば、図１８に示すように後処理として２つ折り及び２点ステープルが設定された場合、折り位置４２ｂやステープル位置４２ａに印刷画像が重なったり近接したりして、印刷画像が見え難くなる場合がある。このような場合は、折り位置４２ｂやステープル位置４２ａ近傍を印字領域４３とすれば、確認印刷に要するコストを削減しつつ、印刷物の仕上がりを的確に確認することができる。
【００６７】
また、図１９に示すように後処理として２つ折り及び２点パンチが設定された場合も、折り位置４２ｂやパンチ位置４２ｃに印刷画像が重なったり近接したりして、印刷画像が見え難くなる場合がある。このような場合は、折り位置４２ｂやパンチ位置４２ｃ近傍を印字領域４３とすれば、確認印刷に要するコストを削減しつつ、印刷物の仕上がりを的確に確認することができる。
【００６８】
また、図２０に示すように後処理としてＺ折り及び１点ステープルが設定された場合、ステープルによって画像シフトが行われると、ユーザの意図しない位置で折りが行われるため、２本の折り位置４２ｂのいずれかに印刷画像が重なったり近接したりして、印刷画像が見え難くなる場合がある。このような場合は、ステープル位置４２ａ近傍及び折り位置４２ｂ近傍を印字領域４３とすれば、確認印刷に要するコストを削減しつつ、印刷物の仕上がりを的確に確認することができる。
【００６９】
また、図２１に示すように後処理としてＺ折り及び２点パンチが設定された場合も、パンチによって画像シフトが行われると、ユーザの意図しない位置で折りが行われるため、２本の折り位置４２ｂのいずれかに印刷画像が重なったり近接したりして、印刷画像が見え難くなる場合がある。このような場合は、パンチ位置４２ｃ及び折り位置４２ｂ近傍を印字領域４３とすれば、確認印刷に要するコストを削減しつつ、印刷物の仕上がりを的確に確認することができる。
【００７０】
このように、後処理を含む印刷物の確認印刷において、印刷設定画面５０で用紙サイズや印刷内容、印字領域を変更できるようにすることにより、用紙やトナーなどの消耗材の消費を抑制して、確認印刷にかかるコストを削減しつつ、印刷物の仕上がりを的確に確認することができる。
【００７１】
なお、本発明は上記実施例に限定されるものではなく、本発明の趣旨を逸脱しない限りにおいて、その構成や制御は適宜変更可能である。
【００７２】
例えば、本実施例では、後処理として、ステープル、パンチ、折りを例示したが、用紙の硬さによって印刷画像の見え方が変化する任意の後処理（例えば、製本など）に対しても本発明の印刷制御を同様に適用することができる。
【産業上の利用可能性】
【００７３】
本発明は、印刷物の仕上がりを確認するための確認印刷を制御する印刷制御プログラム及び当該印刷制御プログラムを記録した記録媒体並びに確認印刷を行う画像形成装置並びに印刷制御方法に利用可能である。
【符号の説明】
【００７４】
１０  印刷システム
２０  クライアント装置
２１  制御部
２２  記憶部
２３  ネットワークＩ／Ｆ部
２４  表示部
２５  操作部
２６  ＯＳ
２７  アプリケーション
２８  プリンタドライバ
３０  画像形成装置
３１  制御部
３２  記憶部
３３  ネットワークＩ／Ｆ部
３４  表示・操作部
３５  画像処理部
３６  印刷処理部
３７  後処理部
４０  用紙
４１  確認領域
４２ａ  ステープル位置
４２ｂ  折り位置
４２ｃ  パンチ位置
４３  印字領域
５０  印刷設定画面
５１  確認印刷省コスト設定画面
５２  印字領域指定画面
５２ａ  プレビュー画像
５２ｂ  補助線
【図１】
2016212744.tif 000004
【図２】
2016212744.tif 000005
【図３】
2016212744.tif 000006
【図４】
2016212744.tif 000007
【図５】
2016212744.tif 000008
【図６】
2016212744.tif 000009
【図７】
2016212744.tif 000010
【図８】
2016212744.tif 000011
【図９】
2016212744.tif 000012
【図１０】
2016212744.tif 000013
【図１１】
2016212744.tif 000014
【図１２】
2016212744.tif 000015
【図１３】
2016212744.tif 000016
【図１４】
2016212744.tif 000017
【図１５】
2016212744.tif 000018
【図１６】
2016212744.tif 000019
【図１７】
2016212744.tif 000020
【図１８】
2016212744.tif 000021
【図１９】
2016212744.tif 000022
【図２０】
2016212744.tif 000023
【図２１】
2016212744.tif 000024